(57)【要約】【課題】用紙束が持ち上げられることなく、用紙束から用紙を容易に引き剥がすことができる用紙供給装置、用紙束プリンタおよび用紙束印刷システムを提供する。【解決手段】一方の端部を剥離可能に粘着した多数枚の用紙から成る用紙束を用紙トレイ２０に収容した状態で、用紙束の自由端側に上側から接触した送りローラの回転により、最上位の用紙から１枚ずつ捲り上げて送るようにした用紙供給装置において、送りローラの接触位置と用紙束の粘着位置との略中間位置に配設され、用紙束の側面に摩擦接触する側面摩擦部材４２を、備えたことを特徴とする。【選択図】図４
2008094520.tif 000002
【特許請求の範囲】
【請求項１】
一方の端部を剥離可能に粘着した多数枚の用紙から成る用紙束を用紙トレイに収容した状態で、前記用紙束の自由端側に上側から接触した送りローラの回転により、最上位の前記用紙から１枚ずつ捲り上げて送るようにした用紙供給装置において、
前記用紙束の側面に摩擦接触する摩擦部材を、備えたことを特徴とする用紙供給装置。
【請求項２】
前記摩擦部材は、前記送りローラの接触位置と前記用紙束の粘着位置との略中間位置に配設されていることを特徴とする請求項１に記載の用紙供給装置。
【請求項３】
一方の端部を剥離可能に粘着した多数枚の用紙から成る用紙束を用紙トレイに収容した状態で、前記用紙束の自由端側に上側から接触した送りローラの回転により、最上位の前記用紙から１枚ずつ捲り上げて送るようにした用紙供給装置において、
前記用紙束の粘着側の端面に摩擦接触する摩擦部材を、備えたことを特徴とする用紙供給装置。
【請求項４】
前記摩擦部材は、前記用紙トレイに取り付けられていることを特徴とする請求項１ないし３のいずれか一項に記載の用紙供給装置。
【請求項５】
前記摩擦部材は、少なくとも摩擦接触する側の面がゴムで構成されていることを特徴とする請求項４に記載の用紙供給装置。
【請求項６】
請求項１ないし５のいずれか一項に記載の用紙供給装置と、
捲り上げて送られる前記用紙に印刷を行う印刷手段と、を備えたことを特徴とする用紙束プリンタ。
【請求項７】
請求項６に記載の用紙束プリンタと、
インターフェースを介して前記用紙束プリンタに接続されてコンピュータと、から成ることを特徴とする用紙束印刷システム。
【発明の詳細な説明】
【技術分野】
【０００１】
本発明は、用紙トレイに収容した用紙束から、最上位の用紙を捲り上げて送る用紙供給装置、用紙束プリンタおよび用紙束印刷システムに関するものである。
【背景技術】
【０００２】
従来、この種の用紙供給装置として、付箋紙束の最上位から付箋紙を捲り上げ、捲り上げた付箋紙を送りながら印刷する付箋紙プリンタが知られている（特許文献１参照）。この付箋紙プリンタは、付箋紙束をセットする付箋紙ホルダを有しており、付箋紙ホルダは、セットされた付箋紙束から付箋紙を引き剥がす際に、付箋紙束が持ち上がらないよう、付箋紙束の自由端部および固定端部を位置規制する一対の位置規制部（爪片）が設けられている。
【特許文献１】特開２００３−２１２３６７号公報
【発明の開示】
【発明が解決しようとする課題】
【０００３】
ところで、一対の爪片により付箋紙束の自由端部および固定端部を押さえ込み、この状態で付箋紙を捲り上げようとすると、固定端部側の爪片は、付箋紙の粘着部分を押さえ込んでしまうため、付箋紙が引き剥がしにくくなってしまう。これを解消すべく、固定端部側の爪片を取り去ることが考えられるが、そうすると、付箋紙の引き剥がしに際し、付箋紙束の固定端部が持ち上げられ、付箋紙の引き剥がしが良好に行なわれなくなってしまう問題がある。
【０００４】
本発明は、用紙束が持ち上げられることなく、用紙束から用紙を容易に引き剥がすことができる用紙供給装置、用紙束プリンタおよび用紙束印刷システムを提供することを課題とする。
【課題を解決するための手段】
【０００５】
本発明の用紙供給装置は、一方の端部を剥離可能に粘着した多数枚の用紙から成る用紙束を用紙トレイに収容した状態で、用紙束の自由端側に上側から接触した送りローラの回転により、最上位の用紙から１枚ずつ捲り上げて送るようにした用紙供給装置において、用紙束の側面に摩擦接触する摩擦部材を、備えたことを特徴とする。
【０００６】
この構成によれば、用紙束の側面には、摩擦部材が接触しているため、用紙束から用紙を引き剥がすと、摩擦力により用紙束は持ち上がることなく、その場に留まる。このため、用紙束の固定端部を、爪片により押さえ込む必要がないため、用紙束から用紙を容易に引き剥がすことが可能となる。なお、摩擦部材は、用紙束の両側面にそれぞれ設けられていることが、好ましい。
【０００７】
この場合、摩擦部材は、送りローラの接触位置と用紙束の粘着位置との略中間位置に配設されていることが、好ましい。
【０００８】
この構成によれば、摩擦部材は、用紙束の側面に摩擦力を付与することで、捲り上げにより撓もうとする用紙の剛性を高めることができる。このため、最上位の用紙を捲り上げようとすると、最上位の用紙は、高められた剛性により、その下位の用紙を押さえ込むことで、下位の用紙を捲り上げにくい（撓みにくい）状態とすることができるため、用紙の２枚捲りを防止することができる。
【０００９】
また、本発明の他の用紙供給装置は、一方の端部を剥離可能に粘着した多数枚の用紙から成る用紙束を用紙トレイに収容した状態で、用紙束の自由端側に上側から接触した送りローラの回転により、最上位の用紙から１枚ずつ捲り上げて送るようにした用紙供給装置において、用紙束の粘着側の端面に摩擦接触する摩擦部材を、備えたことを特徴とする。
【００１０】
この構成によれば、用紙束の粘着側の端面には、摩擦部材が接触しているため、用紙束から用紙を引き剥がすと、摩擦力により用紙束は持ち上がることなく、その場に留まる。このため、用紙束の固定端部を、爪片により押さえ込む必要がないため、用紙束から用紙を容易に引き剥がすことが可能となる。
【００１１】
この場合、摩擦部材は、用紙トレイに取り付けられていることが、好ましい。
【００１２】
この構成によれば、摩擦部材を用紙トレイと一体とすることができるため、用紙トレイに用紙束をセットするだけで、用紙束に対し摩擦部材による摩擦力を付与することができる。
【００１３】
この場合、摩擦部材は、少なくとも摩擦接触する側の面がゴムで構成されていることが、好ましい。
【００１４】
この構成によれば、安価な材料で、用紙束に対し適切に摩擦力を付与することができる。
【００１５】
本発明の用紙束プリンタは、上記の用紙供給装置と、捲り上げて送られてゆく用紙に印刷を行う印刷手段と、を備えたことを特徴とする。
【００１６】
この構成によれば、用紙束が持ち上げられることなく、用紙束から用紙を容易に引き剥がすことができるため、用紙に対しスムーズな印刷を行うことができる。
【００１７】
本発明の用紙束印刷システムは、上記の用紙束プリンタと、インターフェースを介して用紙束プリンタに接続されてコンピュータと、から成ることを特徴とする。
【００１８】
この構成によれば、コンピュータを利用して用紙束プリンタを制御することができ、また、用紙束から用紙を容易に引き剥がすことができるため、用紙に対しスムーズな印刷を行うことができる。
【発明を実施するための最良の形態】
【００１９】
以下、添付の図面を参照して、本実施形態に係る用紙供給装置を付箋紙プリンタに適用した場合ついて説明する。この付箋紙プリンタは、付箋紙印刷システム（用紙束印刷システム）に組み込まれており、付箋紙印刷システムは、付箋紙プリンタに接続されたパソコンからの制御により、付箋紙プリンタの装置ケース内部にセットされた付箋紙束（用紙束）から、１枚ずつ付箋紙を引き剥がしながら印刷を行って、装置外部に印刷済みの付箋紙を排出するものである。
【００２０】
図１に示すように、付箋紙印刷システム１は、付箋紙束Ｈがセットされる付箋紙プリンタ２と、付箋紙プリンタ２にＵＳＢ等のケーブル４で接続され、付箋紙Ｈ１に印刷するための印刷データを作成・編集すると共に、付箋紙プリンタ２の各種駆動を制御するパソコン３とから構成されている。
【００２１】
パソコン３は、パソコン本体５と、パソコン本体５に接続され、データを入力するキーボード６およびマウス７と、入力結果等を表示するディスプレイ８とを有しており、パソコン本体５には、付箋紙プリンタ２に関するアプリケーションソフト（プログラム）やデバイスドライバ等のデータを記憶したＣＤ−ＲＯＭ９が着脱自在にセットされている。そして、キーボード６等から各種検出信号、各種指令、各種データ等が入力されると、パソコン３は、ＣＤ−ＲＯＭ９内のプログラムに従って、各種データを処理し、付箋紙プリンタ２を制御するようになっている。
【００２２】
なお、当然ではあるが、付箋紙プリンタ２に印刷データの作成・編集機能や各部の制御機能やディスプレイを設け、付箋紙プリンタ２を単体として用いて、付箋紙Ｈ１に対する印刷を行うようにしてもよい。
【００２３】
図２に示すように、付箋紙プリンタ２は、外殻を成す装置ケース１５と、装置ケース１５内部に格納され、装置ケース１５内部にセットした付箋紙束Ｈから付箋紙Ｈ１を引き剥がしながら印刷を行う印刷部アッセンブリ１２（図３参照）と、を備えている。
【００２４】
付箋紙束Ｈは、その最下位に位置する台紙Ｈｄと、裏面の基端部（固定端部）Ｈｋを部分糊付けし、台紙Ｈｄに積層して貼着した長方形状の複数枚の付箋紙Ｈ１と、からなっている（図３参照）。付箋紙Ｈ１は、付箋紙束Ｈから１枚ずつ剥離され、剥離後に、この固定端部Ｈｋの糊付け部分を介して、手帳等に貼着される。
【００２５】
装置ケース１５は、全体として小型に形成されており、装置ケース１５の下部前面には、後述する付箋紙トレイ（用紙トレイ）２０を装置ケース１５内部に前方から引出し式で導入するためのトレイ導入開口１７が形成されている。装置ケース１５の上部前面中央には、印刷済み付箋紙Ｈ１を装置ケース１５外部に送り出すための排出口１６と、排出口１６を境に装置ケース１５内部から装置ケース１５外部へ延在し、印刷済み付箋紙Ｈ１を受け留める受け部１４と、が形成されている。また、装置ケース１５の上面には、リボンカートリッジＣの着脱やメンテナンスのための開閉蓋１８が取り付けられている。
【００２６】
図３に示すように、印刷部アッセンブリ１２は、付箋紙束Ｈをセットする付箋紙トレイ２０と、セットした付箋紙束Ｈから付箋紙Ｈ１を捲り上げ、これを引き剥がして排出するピックアップローラ（送りローラ）２５と、ピックアップローラ２５により送られてゆく付箋紙Ｈ１に印刷を行うサーマルヘッド２６と、ピックアップローラ２５を、付箋紙Ｈ１を捲り上げる捲上げ位置２３とサーマルヘッド２６に接触する印刷位置２４との間で移動させるローラアーム２７と、インクリボンＲを収容したリボンカートリッジＣと、を有している。つまり、ピックアップローラ２５は、サーマルヘッド２６に対峙するプラテンローラとしての役割も兼ねている。
【００２７】
印刷部アッセンブリ１２は、付箋紙トレイ２０にセットされた付箋紙束Ｈに対し、ピックアップローラ２５を捲上げ位置２３に臨ませ、付箋紙トレイ２０にセットした付箋紙束Ｈの最上位の付箋紙Ｈ１を捲り上げる。すると、捲り上げた付箋紙Ｈ１は、ピックアップローラ２５に乗り上げた状態となり、この状態でローラアーム２７によりピックアップローラ２５を印刷位置２４に移動させる。印刷位置２４に移動したピックアップローラ２５は、捲り上げた付箋紙Ｈ１と装着したリボンカートリッジＣから繰り出されるインクリボンＲとを、サーマルヘッド２６と共に挟み込み、ピックアップローラ２５によりこれを排出口１６に向かって送ると共に、送られてゆく付箋紙Ｈ１にサーマルヘッド２６によりインクリボンＲのインクを熱転写して印刷を行う。この後、ピックアップローラ２５は、ローラアーム２７により印刷済みの付箋紙Ｈ１を受け部１４に受け渡しつつ捲上げ位置２３に戻る。
【００２８】
ここで、図４および図５を参照して、付箋紙トレイ２０について詳細に説明する。付箋紙トレイ２０は、上面を開放すると共にボックス状に形成されたトレイケース４０と、トレイケース４０に収容され、付箋紙束Ｈを水平にセットするためのセットステージ４１と、トレイケース４０の内側側面にそれぞれ付設された一対の側面摩擦部材４２（摩擦部材）と、トレイケース４０の内側の図示右側に付設された端面摩擦部材４４（摩擦部材）と、で構成され、セットステージ４１とトレイケース４０の底面との間には、セットステージ４１を上方に付勢するＸリンク４３が介設されている。
【００２９】
トレイケース４０は、セットステージ４１をスライド自在に案内する四周枠状のケース本体５０と、ケース本体５０の上端部に設けられ、付箋紙束Ｈの先端部（自由端部）Ｈｊを押さえるよう内向きに突設された爪状の位置規制部５１と、ケース本体５０の前面部に設けられ、装置ケース１５のトレイ導入開口１７を介して引き出し式で着脱自在に装着するための取手部５２と、で一体に形成されている。このため、付箋紙束Ｈの交換や装着を行う際には、付箋紙トレイ２０ごと取り出して、付箋紙束Ｈをセットする。
【００３０】
Ｘリンク４３は、その先端部に付箋紙束Ｈの幅方向に亘ってそれぞれ掛け渡された第１押上片５７および第２押上片５８をセットステージ４１に接触させ、コイルバネ５９により、セットステージ４１を上方に向けて水平に平行移動させている。
【００３１】
セットステージ４１は、下面を開放した薄型ボックス状に形成されており、セットステージ４１の下面の図示左右両側には、第１押上片５７および第２押上片５８が接触している。これにより、セットステージ４１は、Ｘリンク４３により上方に付勢されつつ、トレイケース４０によりガイドされて上下スライド自在に移動する。また、セットステージ４１には、トレイケース４０内部に付設された一対の側面摩擦部材４２および端面摩擦部材４４がセットステージ４１に接触しないよう、各摩擦部材４２、４４に対応する位置に、３つの摩擦開口溝部６５が形成されている。
【００３２】
各側面摩擦部材４２は、長方形の板状に形成されると共にトレイケース４０の内側側面の略中央に摩擦面を内側にして設けられており、摩擦面は摩擦ゴムで構成されている。そして、一対の側面摩擦部材４２は、捲り上げにより撓もうとする付箋紙Ｈ１に対し摩擦力を付与すべく、付箋紙束Ｈを両側面から挟み込むように配設されている。
【００３３】
端面摩擦部材４４は、長方形の板状に形成されると共にトレイケース４０の固定端面の略中央に摩擦面を内側にして設けられており、摩擦面は摩擦ゴムで構成されている。そして、端面摩擦部材４４は、セットされた付箋紙束Ｈの固定端面に対し摩擦力を付与すべく、付箋紙束Ｈの固定端面に接触するよう配設されている。
【００３４】
そして、付箋紙トレイ２０に付箋紙束Ｈをセットすると、セットされた付箋紙束Ｈの両側面および固定端面には、一対の側面摩擦部材４２および端面摩擦部材４４が接触する。この状態において、ピックアップローラ２５により、付箋紙束Ｈの最上位の付箋紙Ｈ１を捲り上げようとすると、最上位の付箋紙Ｈ１は、一対の側面摩擦部材４２により摩擦力が働き、付箋紙Ｈ１が撓みにくくなる。すなわち、最上位の付箋紙Ｈ１の剛性が高まった状態となる。このため、最上位の付箋紙Ｈ１の下位の付箋紙Ｈ１は、最上位の付箋紙Ｈ１に押さえ込まれ、下位の付箋紙Ｈ１は撓みにくくなる。これにより、下位の付箋紙Ｈ１は、捲り上げにくい状態とすることができるため、ピックアップローラ２５は、付箋紙束Ｈの最上位の付箋紙Ｈ１のみを確実に捲り上げることができ、付箋紙Ｈ１の２枚捲りを防止することができる。
【００３５】
捲り上げた付箋紙Ｈ１は、ピックアップローラ２５に乗り上げられ、この状態でローラアーム２７により印刷位置２４に移動させる。印刷位置２４に移動した付箋紙Ｈ１を、ピックアップローラ２５により引き剥がしてゆくと、付箋紙束Ｈの固定端部は、引き剥がされてゆく付箋紙Ｈ１により上方に持ち上げられようとするが、一対の側面摩擦部材４２および端面摩擦部材４４による摩擦力により、付箋紙束Ｈの固定端部Ｈｋは持ち上がることなく付箋紙トレイ２０内に留まる。
【００３６】
以上の構成によれば、付箋紙束Ｈからの付箋紙Ｈ１の引き剥がしに際し、一対の側面摩擦部材４２および端面摩擦部材４４による摩擦力により、付箋紙束Ｈの固定端部Ｈｋは持ち上がることがないため、付箋紙束Ｈの固定端部Ｈｋを、爪片により押さえ込む必要が無い。これにより、付箋紙束Ｈから付箋紙Ｈ１を容易に引き剥がすことができ、付箋紙Ｈ１に対しスムーズな印刷を行うことができる。なお、本実施形態では、一対の側面摩擦部材４２および端面摩擦部材４４を配設したが、少なくともどちらか一方を配設すればよい。また、各側面摩擦部材４２自身および端面摩擦部材４４自身をバネ性を有するゴム張りのもので構成してもよいし、あるいは、各摩擦部材４２、４４の背面側に弱いバネを設けるようにしてもよい。これにより、セットする付箋紙束Ｈのサイズが誤差により少々異なったとしても、この誤差を許容することができる。但し、これらの場合には、各側面摩擦部材４２および端面摩擦部材４４の上端部を外側に向けて折り曲げ、付箋紙Ｈ１がセットし易いようガイド部を形成しておくことが、好ましい。
【図面の簡単な説明】
【００３７】
【図１】本実施形態に係る付箋紙印刷システムの模式図である。
【図２】本実施形態に係る付箋紙プリンタの外観斜視図である。
【図３】付箋紙プリンタの断面模式図である。
【図４】付箋紙トレイの外観斜視図である。
【図５】付箋紙トレイの断面図である。
【符号の説明】
【００３８】
１…付箋紙印刷システム  ２…付箋紙プリンタ  ２０…付箋紙トレイ  ２５…ピックアップローラ  ４２…側面摩擦部材  ４４…端面摩擦部材  Ｈ…付箋紙束  Ｈ１…付箋紙
【図１】
2008094520.tif 000003
【図２】
2008094520.tif 000004
【図３】
2008094520.tif 000005
【図４】
2008094520.tif 000006
【図５】
2008094520.tif 000007